(57)【要約】【課題】背景放射は地球に届いている。地球は光速で走ってきたのか。宇宙の走る速度はどのようであるか。はたして光速は一定であるのか。【解決手段】宇宙の起動力は、ビッグバンの爆発力による。宇宙の速度は減速している。それで、宇宙の年令における速度は、速度＝ａ÷宇宙の年令  である。現在、地球の速度は６×１０５ｍであり、宇宙の年令を１５０億年とすると、宇宙の速度＝２．８３６×１０２３÷宇宙の年令である。宇宙の半径は２．８５２×１０２５ｍである。それなのに、背景輻射は届いている。背景輻射は減速している。１０億年で６／１０に減速している。光子は１０億年走って０．６倍に減速する。【選択図】図２
2005012998.tif 000002
【特許請求の範囲】
【請求項１】
宇宙の年令における、走る速度はどれ位か。
ビッグバンの爆発力によって宇宙は走り出した。
ビッグバンの爆発力は時間の経過とともに減少する。
宇宙が走る速度は時間とともに減速する。
宇宙の速度は走った時間に反比例する。
宇宙の速度＝ａ÷宇宙の年令  である。
宇宙の速度とは、クエーサーや銀河の走る速度である。
即ち、宇宙のクエーサーや銀河はビッグバンの爆発によって走っている。
それで、宇宙のクエーサーや銀河の走る速度は時間の経過とともに遅くなる。
現在、銀河系の速度を６×１０５ｍとし、銀河系の年令を１５０億年であるとすると、ａ＝６×１０５ｍ×１５０×１０８×３６５×２４×６０×６０秒＝２．８３８×１０２３秒・ｍ  である。
それで、
宇宙の速度（ｍ）＝２．８３８×１０２３（秒・ｍ）÷宇宙の年令（秒）  である。
ビッグバンから１年後（１歳）の宇宙の速度は、
宇宙の速度＝２．８３８×１０２３÷（１×３６５×２４×６０×６０）＝９×１０１５（ｍ）である。
それで、ビッグバンの速度は、その１０倍であるから９×１０１６ｍである。
しかし、背景輻射は現在地球に届いている。
背景輻射は１５０億年前に出発した光子であるとすると、その光子が走った距離は、
光速×１５０×１０８×３６５×２４×６０×６０ｍである。
▲１▼、もし、光速は不変であり、秒速は３×１０８ｍであるならば、
その光子が走った距離は、１５０×１０８×９．４６×１０１５ｍ＝１．４２×１０２６ｍ  である。
宇宙の半径は１，４２×１０２６ｍである。
この場合、宇宙の半径は、１．４２×１０２６ｍ÷（２．８５２×１０２５ｍ）＝４．９８（倍）である。
それで、ａの値は４．９８倍であり、
ａ＝２．８３６×１０２３×４．９８＝１．４１２×１０２４（秒・ｍ）である。
宇宙の速度（ｍ）＝１．４１２×１０２４（秒・ｍ）÷宇宙の年令（秒）  である。
▲２▼、もし、光速が減速する場合は，
ａ＝２．８３６×１０２３（秒・ｍ）である。
宇宙の速度（ｍ）＝２．８３６×１０２３（秒・ｍ）÷宇宙の年令（秒）  である。
この場合は、ビッグバンの爆発の速度は、９×１０１６ｍであり、光速３×１０８ｍの２乗である。
【請求項２】
Ｅ＝ｍｃ２はどのような事を意味するのか。
ビッグバンの爆発の速度は９×１０１６ｍであり、光速の２乗である。
この事は爆発の速度は光速の２乗であるということである。
それで、素粒子のエネルギー＝素粒子が爆発した速度×１秒×質量  である。
Ｅ＝ｍｃ２の意味は、ｍの質量が爆発した場合のエネルギーである。
エネルギー＝走った距離×質量。爆発の速度はｃ２である。走った距離＝速度×時間。
爆発の速度は１秒間でｃ２であるから、爆発で走った距離＝ｃ２×１秒。
エネルギー＝ｃ２ｍ×１秒×ｍ＝ｍｃ２である。
Ｅ＝ｍｃ２を図示すると、Ｅは中央にｍの質量が存在し、１秒間に、半径がｃ２（ｍ）＝９×１０１６（ｍ）の球体に爆発するエネルギーである。
【請求項３】
光子の速度はどのように変化するか。
１５０億年で、宇宙の大きさは、半径２．８５２×１０２５ｍになった。
この軌道に存在する地球に、背景輻射が走ってきている，
もし、背景輻射が光速で走っているならば、背景輻射は、半径１．４２×１０２６ｍの軌道を走っているはずである。
それなのに、半径２．８５２×１０２５ｍの軌道を走っているのは、背景輻射の光速が減速しているからである。
ビッグバンの時は、陽子のラブと電子のラブが存在した。
陽子のラブの周囲を共に回転する陽子の電気の光子は存在した。
しかし、ラブと電気の光子の周囲をクロス回転する磁気の光子は存在しない。
ビッグバンの時、背景輻射となっている磁気の光子は存在しない。
それで、磁気の光子はビッグバンの爆発力とは無関係である。
電気の光子はニュートリノである。
陽子の電気の光子は陽子のニュートリノである。
それで、本発明者は、これから、電気の光子をニュートリノ、磁気の光子を光子として記す。
ビッグバンの後に、ラブとニュートリノの周囲をクロス回転する光子が存在した。
背景輻射の光速は１０億年で６／１０に減速したと仮定する。
そうすると、光子の速度は次のようになる。
光速を求める式は、
光速＝３×１０８ｍ÷（走った年数÷１０９）×０．６＝３×１０８ｍ÷（走った年数×１．６６６７×１０−９）である。
この式は、走った年数×１．６６６７×１０−９≧１  の場合成立する。
光子の速度は１０億年で６／１０になる。
光子の速度は１０９年で０．６倍になる。
走った距離＝速度×走った時間（秒）  で計算すると、
走った距離は合計で、
８９８．８１×１０６ｍ×１０９×３６５×２４×６０×６０＝２．８３４５×１０２５ｍ  である。
これは、現在の宇宙の半径である、２．８５２×１０２５ｍに近い値である。
それで、光子の速度の式は、
速度＝３×１０８÷（走った年数÷１０９）×０．６＝３×１０８÷（走った年数×１．６６６７×１０−９）である。
光速は１０億年で６／１０に減速する。
【請求項４】
光子のエネルギーはどのように変化するか。
本発明者は２００４年１月２４日提出の特許願
【請求項１２】
において、
マクロの軌道エネルギー＝Ａ×９．４８７×１０４Ｊ・ｍ÷（２×距離）であるとした。
それで、９．４８７×１０４の単位はｍである。
Ａは軌道から出発した磁気の光子１個のエネルギーである。
それで、
マクロの軌道エネルギー（宇宙の軌道エネルギー）Ｊ
＝ＡＪ×９．４８７×１０４ｍ÷宇宙の軌道ｍ
＝ＡＪ×９．４８７×１０４ｍ÷（２×走った距離ｍ）
＝ＡＪ÷｛２×走った距離ｍ÷（９．４８７×１０４ｍ）｝
＝ＡＪ÷（走った距離×２．１×１０−５）
＝ＡＪ÷（走った距離÷１０５）×０．４７６  であり、
光子のエネルギーは１０５ｍで０．４７６倍になる。
光子のエネルギーは１０５ｍで０．４７６倍に減少する。
【発明の詳細な説明】
【技術分野】
【０００１】  この発明は宇宙に関する。宇宙の年令における走る速度と、宇宙の光子の速度と、光子のエネルギーに関する。
【背景技術】
【０００２】  従来、宇宙の年令における走る速度と、宇宙の光子の速度の変化と、光子のエネルギーの変化は知られていない。光子の速度は一定であると考えられている。
【本発明が解決しようとする課題】
【０００３】１、宇宙の年令における走る速度はどれ位か。
２、Ｅ＝ｍｃ２はどのような事を意味するのか。
３、宇宙の光子の速度はどのように変化するか。
４、光子のエネルギーはどのように変化するか。
【課題を解決するための手段】
【０００４】１、宇宙の年令における走る速度はどれ位か。
本発明者は、宇宙はビッグバンの爆発力によって走っている、と考える。ビッグバンの爆発力を瞬発力と考える。それで、宇宙のクエーサーや銀河の走る速度は時間の経過とともにおそくなる。宇宙の速度＝ａ÷宇宙の年令  である。速度は宇宙の年令に反比例する。現在、銀河系の速度を６×１０５ｍ、銀河系の年令を１５０億年であるとすると、
ａ＝６×１０５×１５０×１０８×３６５×２４×６０×６０＝２．８３６×１０２３  （秒・ｍ）である。
宇宙の速度（ｍ）＝２．８３６×１０２３（秒・ｍ）÷宇宙の年令（秒）
この式によって計算された宇宙の大きさは、半径２．８５２×１０２５ｍである。
しかし、背景輻射は現在地球に届いている。
背景輻射は１５０億年前に出発した光子であるとすると、その光子が走った距離は、
光速×１５０×１０８×３６５×２４×６０×６０  ｍである。
もし、光速は不変であり、秒速３×１０８ｍであるなら、
その光子が走った距離は、１．４２×１０２６ｍで、宇宙の大きさは、半径１．４２×１０２６ｍである。この場合、半径は４．９８倍であり、ａの値は４．９８倍の１．４１２×１０２４秒・ｍである。
２、Ｅ＝ｍｃ２とは何を意味するのか。
１の課題によって、ビッグバンの速度は９×１０１６ｍであり、光速の２乗であることが解った。それで、Ｅ＝ｍｃ２とは、爆発のエネルギーであることが理解できる。
３、宇宙の光子の速度はどのように変化するか。
背景輻射が１５０億年走って、２．８５２×１０２５ｍ走ったとするなら、光速は１０億年で７／１０に減速したことになる。
それで、光速＝３×１０８÷（走った年数÷１０９）×０．７である。
ａ＝２．８３６×１０２３秒・ｍの場合を▲１▼とし、
ａ＝１．４１８×１０２４秒・ｍの場合を▲２▼として記す。
４、光子のエネルギーはどのように変化するか。
光子のエネルギーＪ＝光子１個のエネルギーＪ×９．４８７×１０４ｍ÷軌道ｍ  であり、９．４８７×１０４の単位はｍである。
それで、エネルギーがＡＪである光子が走った場合、走った後のエネルギーは、
エネルギー＝ＡＪ×９．４８７×１０４ｍ÷マクロの軌道（宇宙の軌道）＝ＡＪ×９．４８７×１０４ｍ÷（走った距離ｍ×２）＝ＡＪ÷｛走った距離ｍ×２÷（９．４８７×１０４ｍ）｝＝ＡＪ÷（走った距離×２．１０８×１０−５）であり、
光子のエネルギーは、走った距離×２．１０８×１０−５に反比例する。
【発明の実施態様】
【０００５】１  宇宙の年令における速度はどれ位か。
宇宙の起動力はビッグバンの爆発力である。
ビッグバンの爆発力は瞬発力である。
瞬発力は時間の経過とともに減少する。
宇宙が走る速度は時間とともに減速する。
宇宙の速度は走った時間に反比例する。
宇宙の速度＝ａ÷宇宙の年令  である。
宇宙の速度とは、クエーサーや銀河の走る速度である。
即ち、宇宙のクエーサーや銀河はビッグバンの爆発によって走っている。
それで、宇宙のクエーサーや銀河の走る速度は時間の経過とともに遅くなる。
現在、銀河系の速度を６×１０５ｍとし、銀河系の年令を１５０億年であるとすると、
ａ＝６×１０５ｍ×１５０×１０８×３６５×２４×６０×６０秒＝２．８３８×１０２３秒・ｍ  である。
それで、
宇宙の速度（ｍ）＝２．８３８×１０２３（秒・ｍ）÷宇宙の年令（秒）  である。
ビッグバンから１年後（１歳）の宇宙の速度は、
宇宙の速度＝２．８３８×１０２３÷（１×３６５×２４×６０×６０）＝９×１０１５（ｍ）である。
それで、ビッグバンの速度は、その１０倍であるから９×１０１６ｍである。
宇宙の１０歳の速度は９×１０１４ｍ、１００歳の速度は９×１０１３ｍ、１０００歳の速度は９×１０１２ｍ、１万歳の速度は９×１０１１ｍ、１０万歳の速度は９×１０１０ｍ、１００万歳の速度は９×１０９ｍ、１０００万歳の速度は９×１０８ｍ、１億歳の速度は９×１０７ｍ、１０億歳の速度は９×１０６ｍ、１００億歳の速度は９×１０５ｍ、１５０億歳の速度は６×１０５ｍ  である。
そして、宇宙の年令の速度×走った時間（秒）＝走った距離である。
宇宙の年令と宇宙の速度と宇宙が走った距離（＝宇宙の半径）を示す。
この場合は、▲２▼で、背景幅射は減速である。
2005012998.tif 000003
よって、宇宙の半径は２．８５２×１０２５ｍである。
しかし、背景輻射は現在地球に届いている。
背景輻射は１５０億年前に出発した光子であるとすると、その光子が走った距離は、
光速×１５０×１０８×３６５×２４×６０×６０ｍである。
▲１▼、もし、光速は不変であり、秒速は３×１０８ｍであるならば、
その光子が走った距離は、１５０×１０８×９．４６×１０１５ｍ＝１．４２×１０２６ｍ  である。
宇宙の半径は１．４２×１０２６ｍである。
この場合、宇宙の半径は、１．４２×１０２６ｍ÷（２．８５２×１０２５ｍ）＝４．９８（倍）である。
それで、ａの値は４．９８倍であり、
ａ＝２．８３６×１０２３×４．９８＝１．４１２×１０２４（秒・ｍ）である。
宇宙の速度（ｍ）＝１．４１２×１０２４（秒・ｍ）÷宇宙の年令（秒）  である。
▲１▼、の光速が一定である場合の宇宙の年令と宇宙の速度と宇宙が走った距離（宇宙の半径）を示す。
2005012998.tif 000004
2005012998.tif 000005
▲２▼、もし、光速が減速する場合は、
ａ＝２．８３６×１０２３（秒・ｍ）である。
宇宙の速度（ｍ）＝２．８３６×１０２３（秒・ｍ）÷宇宙の年令（秒）  である。
▲２▼の場合は、ビッグバンの爆発の速度は、９×１０１６ｍであり、光速３×１０８ｍの２乗である。
この値は、Ｅ＝ｍｃ２のようである。
２  Ｅ＝ｍｃ２はどのような事を意味するのか。
ビッグバンの爆発の速度は９×１０１６ｍであり、光速の２乗である。
この事は爆発の速度は光速の２乗であるということである。
それで、爆発した速度×質量＝素粒子のエネルギー  である。
素粒子のエネルギー＝素粒子が爆発した速度×質量  である。
素粒子が爆発した場合、どれだけのエネルギーになるか、ということである。
Ｅ＝ｍｃ２の意味は、ｍの質量が爆発した場合のエネルギーである。
エネルギー＝走った距離×質量。爆発の速度はｃ２である。走った距＝速度×時間。
爆発の速度は１秒間でｃ２であるから、爆発で走った距離＝ｃ２×１秒。
エネルギー＝ｃ２ｍ×１秒×ｍ＝ｍｃ２である。
３  光子の速度はどのように変化するか。
１５０億年で、宇宙の大きさは、半径２．８５２×１０２５ｍになった。
この軌道に存在する地球に、背景輻射が走ってきている。
もし、背景輻射が光速で走っているならば、背景輻射は、半径１．４２×１０２６ｍの軌道を走っているはずである。
それなのに、半径２．８５２×１０２５ｍの軌道を走っているのは、背景輻射の光速が減速しているからである。
ビッグバンの時は、陽子のラブと電子のラブが存在した。
陽子のラブの周囲をともに回転する陽子の電気の光子は存在した。
しかし、ラブと電気の光子の周囲をクロス回転する磁気の光子は存在しない。
ビッグバンの時、背景輻射となっている磁気の光子は存在しない。
それで、磁気の光子はビッグバンの爆発力とは無関係である。
電気の光子はニュートリノである。
腸子の電気の光子は陽子のニュートリノである。
それで、本発明者は、これから、電気の光子をニュートリノ、磁気の光子を光子として記す。
ビッグバンの後に、ラブとニュートリノの周囲をクロス回転する光子が存在した。
背景輻射の光速は１０億年で６／１０に減速したと仮定する。
そうすると、光子の速度は次のようになる。
光速を求める式は、
光速＝３×１０８ｍ÷（走った年数÷１０９）×０．６＝３×１０８ｍ÷（走った年数×１．６６６７×１０−９）です。
この式は、走った年数×１．６６６７×１０−９≧１  の場合成立する。
光子の速度は１０億年で６／１０になる。
光子の速度は１０９年で０．６倍になる。
例えば、走った年数が１００億年の場合、
速度＝３×１０８ｍ÷（１０１０÷１０９）×０．６＝１．８×１０７ｍです。
宇宙の年令と光子の速度を示す。
2005012998.tif 000006
走った距離は合計で、
８９８．８１×１０６ｍ×１０９×３６５×２４×６０×６０＝２．８３４５×１０２５ｍ  である。
これは、現在の宇宙の半径である、２．８５２×１０２５ｍに近い値である。
それで、光子の速度の式は、
速度＝３×１０８÷（走った年数÷１０９）×０．６＝３×１０８÷（走った年数×１．６６６７×１０−９）である。
光速は１０億年で６／１０に減速する。
４  光子のエネルギーはどのように変化するか。
本発明者は２００４年１月２４日提出の特許願
【請求項１２】
において、
マクロの軌道エネルギー＝Ａ×９．４８７×１０４Ｊ・ｍ÷（２×距離）であるとした。
それで、９．４８７×１０４の単位はｍである。
Ａは軌道から出発した磁気の光子１個のエネルギーである。
それで、
マクロの軌道エネルギー（宇宙の軌道エネルギー）Ｊ
＝ＡＪ×９．４８７×１０４ｍ÷宇宙の軌道ｍ
＝ＡＪ×９．４８７×１０４ｍ÷（２×走った距離ｍ）
＝ＡＪ÷｛２×走った距離ｍ÷（９．４８７×１０４ｍ）｝
＝ＡＪ÷（走った距離×２．１×１０−５）
＝ＡＪ÷（走った距離÷１０５）×０．４７６  であり、
光子のエネルギーは１０５ｍで０．４７６倍になる。
光子のエネルギーは１０５ｍで０．４７６倍に減少する。
【発明の効果】
【０００６】  この発明により、宇宙がどのように膨張したのかが理解できる。
ビッグバンの爆発力によって宇宙は膨張している。
この発明により、宇宙は減速しながら走っていることが理解できた。
宇宙のはじめ、ビッグバンの速度は９×１０１６ｍであり、光速の２乗であったことが理解できた。
この事によって、Ｅ＝ｍｃ２とはｍを爆発させたエネルギーであることが理解できた。
宇宙の速度＝２．８３８×１０２３（秒・ｍ）÷宇宙の年令である。
光子は走って減速することが理解できた。
光子は１０９年走って、速度を０．６倍に減速する。
光子の速度＝３×１０８÷（走った年数÷１０９）×０．６  である。
光子は走ってエネルギーを減少させる事が理解できた。
光子のエネルギー＝ＡＪ÷（走った距離÷１０５）×０．４７６である。
光子は１０５ｍ走って、エネルギーを０．４７６倍にする。
【図面の簡単な説明】
【図１】宇宙の年令と宇宙の速度と走った距離を図示する。
【図２】宇宙の速度の式を図示する。  宇宙の速度（ｍ）＝２．８３６×１０２３（秒・ｍ）÷宇宙の年令（秒）
【図３】Ｅ＝ｍｃ２を図示する。
【図４】光子の速度の式を図示する。  光速＝３×１０８ｍ÷（走った年数÷１０９）×０．６
【図５】光子のエネルギーの式を図示する。  光子のエネルギー＝ＡＪ÷（走った距離÷１０５）×０．４７６
【図１】
2005012998.tif 000007
【図２】
2005012998.tif 000008
【図３】
2005012998.tif 000009
【図４】
2005012998.tif 000010
【図５】
2005012998.tif 000011